(57)【要約】【課題】簡易な構成で感電を防止できる画像形成装置を提供すること。【解決手段】本体３と、前記本体３に着脱可能に取り付けられたプロセスカートリッジ１１と、前記本体３に設けられた開閉可能なカバー１３と、前記本体３に設けられた低圧電源基板５と、前記低圧電源基板５から、閉じた状態にある前記カバー１３を経由して、前記プロセスカートリッジ１１に電力を供給する給電経路１５、３５と、を備え、前記カバー１３の開放により、前記給電経路１５、３５が遮断されることを特徴とする画像形成装置１。【選択図】 図１
2013257413.tif 000002
【特許請求の範囲】
【請求項１】
本体と、
前記本体に着脱可能に取り付けられたプロセスカートリッジと、
前記本体に設けられた開閉可能なカバーと、
前記本体に設けられた低圧電源基板と、
前記プロセスカートリッジに高電圧を供給するための高圧電源基板と、
前記低圧電源基板から、閉じた状態にある前記カバーを経由して、前記高圧電源基板に電力を供給する給電経路と、
を備え、
前記カバーの開放により、前記給電経路が遮断されることを特徴とする画像形成装置。
【請求項２】
前記高圧電源基板を前記本体に備え、
前記カバーの開放により、前記低圧電源基板と前記カバーとの間、及び、前記カバーと前記高圧電源基板との間において前記給電経路が遮断されることを特徴とする請求項１記載の画像形成装置。
【請求項３】
前記高圧電源基板を前記カバーに備え、
前記カバーの開放により、前記低圧電源基板と前記カバーとの間において前記給電経路が遮断されることを特徴とする請求項１記載の画像形成装置。
【請求項４】
前記カバーの開放により、前記低圧電源基板と前記高圧電源基板との間において前記給電経路が遮断されるとともに、前記高圧電源基板と前記プロセスカートリッジとの間の電力供給経路も遮断されることを特徴とする請求項３記載の画像形成装置。
【請求項５】
前記画像形成装置を制御する制御基板と、
閉じた状態にある前記カバーを経由して前記制御基板と前記高圧電源基板とを接続する信号伝達線とを備え、
前記信号伝達線は、前記カバーの開放により遮断されることを特徴とする請求項２〜４のいずれか１項記載の画像形成装置。
【請求項６】
前記カバーを開放した状態において、前記プロセスカートリッジを着脱可能であることを特徴とする請求項１〜５のいずれか１項記載の画像形成装置。
【請求項７】
本体と、
前記本体に着脱可能に取り付けられたプロセスカートリッジと、
前記本体に設けられた低圧電源基板及び高圧電源基板と、
前記低圧電源基板から、前記プロセスカートリッジを経由して前記高圧電源基板に電力を供給する給電経路と、
画像形成装置を制御する制御基板と、
前記プロセスカートリッジを経由して、前記制御基板と前記高圧電源基板とを接続する信号伝達線と、
を備えることを特徴とする画像形成装置。
【請求項８】
本体と、
前記本体に着脱可能に取り付けられたプロセスカートリッジと、
前記本体に設けられた低圧電源基板及び高圧電源基板と、
前記低圧電源基板から、前記プロセスカートリッジを経由して前記高圧電源基板に電力を供給する給電経路と、
を備え、
前記プロセスカートリッジはローラを備え、
前記給電経路は、前記ローラの回転軸を経由することを特徴とする画像形成装置。
【発明の詳細な説明】
【技術分野】
【０００１】
本発明は、画像形成装置に関する。
【背景技術】
【０００２】
例えばレーザプリンタなどの画像形成装置の内部には、高電圧を発生するための高圧電源基板が存在する。ユーザが画像形成装置のカバーを開け、プロセスカートリッジの交換等の作業を行う場合の感電を防止するためには、カバーの開放やプロセスカートリッジの取り外しを検知するスイッチと、そのスイッチの状態に応じてプロセスカートリッジに供給される電力の供給を停止する機構が必要になる（特許文献１参照）。
【先行技術文献】
【特許文献】
【０００３】
【特許文献１】特開２０１０−２５６８０４号公報
【発明の概要】
【発明が解決しようとする課題】
【０００４】
しかしながら、上記のスイッチや電力の供給を停止する機構を設けると画像形成装置の構成が複雑になり、製造コストが上昇してしまう。本発明は以上の点に鑑みなされたものであり、簡易な構成で感電を防止できる画像形成装置を提供することを目的とする。
【課題を解決するための手段】
【０００５】
本発明の第１の画像形成装置は、
本体と、前記本体に着脱可能に取り付けられたプロセスカートリッジと、前記本体に設けられた開閉可能なカバーと、前記本体に設けられた低圧電源基板と、前記プロセスカートリッジに高電圧を供給するための高圧電源基板と、前記低圧電源基板から、前記閉じた状態にある前記カバーを経由して、前記高圧電源基板に電力を供給する給電経路と、を備え、前記カバーの開放により、前記給電経路が遮断されることを特徴とする。
【０００６】
本発明の第１の画像形成装置によれば、カバーを開放したとき、低圧電源基板から高圧電源基板への給電経路が遮断されるので、その状態で高圧電源基板からプロセスカートリッジに至る高電圧の電力供給経路の一部にユーザが触れても、感電しない。また、カバーの開放を検知するスイッチや、そのスイッチの状態に応じて電力の供給を停止する機構が必須ではなくなるので、コストとスペースを節減できる。
【０００７】
本発明の第１の画像形成装置は、例えば、前記高圧電源基板を前記本体に備え、前記カバーの開放により、前記低圧電源基板と前記カバーとの間、及び、前記カバーと前記高圧電源基板との間において前記給電経路が遮断されるものとすることができる。
【０００８】
この場合、カバーを開放したとき、低圧電源基板とカバーとの間、及び、カバーと高圧電源基板との間において給電経路がそれぞれ遮断されるので、その状態でユーザが高圧電源基板からプロセスカートリッジに至る高電圧の電力供給経路の一部に触れても、感電しない。また、カバーの開放を検知するスイッチや、そのスイッチの状態に応じて電力の供給を停止する機構が必須ではなくなるので、コストとスペースを節減できる。
【０００９】
本発明の第１の画像形成装置は、例えば、前記高圧電源基板を前記カバーに備え、前記カバーの開放により、前記低圧電源基板と前記カバーとの間において前記給電経路が遮断されるものとすることができる。
【００１０】
この場合、カバーを開放したとき、低圧電源基板とカバーとの間において給電経路が遮断されるので、その状態でユーザが高圧電源基板からプロセスカートリッジに至る高電圧の電力供給経路の一部に触れても、感電しない。また、カバーの開放を検知するスイッチや、そのスイッチの状態に応じて電力の供給を停止する機構が必須ではなくなるので、コストとスペースを節減できる。
【００１１】
本発明の第１の画像形成装置は、例えば、前記カバーの開放により、前記低圧電源基板と前記高圧電源基板との間において前記給電経路が遮断するとともに、前記高圧電源基板と前記プロセスカートリッジとの間の電力供給経路も遮断することができる。この場合、カバーを開放したとき、低圧電源基板からプロセスカートリッジに至る給電経路及び電力供給経路を一層確実に遮断できる。
【００１２】
本発明の第１の画像形成装置は、例えば、前記画像形成装置を制御する制御基板と、閉じた状態にある前記カバーを経由して前記制御基板と前記高圧電源基板とを接続する信号伝達線とを備え、前記信号伝達線は、前記カバーの開放により遮断されるものとすることができる。
【００１３】
この場合、カバーを開放したとき、信号伝達線も遮断されるので、信号が検出されなくなる。そのため、信号の不検出により、カバーの開放を認識することができ、その旨をユーザに通知することができる。
【００１４】
本発明の第１の画像形成装置は、例えば、前記カバーを開放した状態において、前記プロセスカートリッジを着脱可能とすることができる。この場合、プロセスカートリッジを着脱するためにカバーを開放した際における感電を防止できる。
【００１５】
本発明の第２の画像形成装置は、
本体と、前記本体に着脱可能に取り付けられたプロセスカートリッジと、前記本体に設けられた低圧電源基板及び高圧電源基板と、前記低圧電源基板から、前記プロセスカートリッジを経由して前記高圧電源基板に電力を供給する給電経路と、画像形成装置を制御する制御基板と、前記プロセスカートリッジを経由して、前記制御基板と前記高圧電源基板とを接続する信号伝達線と、を備えることを特徴とする。
【００１６】
本発明の第２の画像形成装置によれば、プロセスカートリッジを取り外したとき、給電経路が遮断されるので、その状態でユーザが高圧電源基板に触れても、感電しない。
また、本発明の第２の画像形成装置によれば、プロセスカートリッジを取り外したとき、信号伝達線も遮断されるので、信号が検出されなくなる。そのため、信号の不検出により、プロセスカートリッジが取り外された状態であることを認識することができ、その旨をユーザに通知することができる。
【００１７】
本発明の第３の画像形成装置は、
本体と、前記本体に着脱可能に取り付けられたプロセスカートリッジと、前記本体に設けられた低圧電源基板及び高圧電源基板と、前記低圧電源基板から、前記プロセスカートリッジを経由して前記高圧電源基板に電力を供給する給電経路と、を備え、前記プロセスカートリッジはローラを備え、前記給電経路は、前記ローラの回転軸を経由することを特徴とする。
【００１８】
本発明の第３の画像形成装置によれば、プロセスカートリッジを取り外したとき、給電経路が遮断されるので、その状態でユーザが高圧電源基板に触れても、感電しない。また、本発明の第３の画像形成装置によれば、プロセスカートリッジに、給電経路を構成する部材を別途設ける必要がない。
【図面の簡単な説明】
【００１９】
【図１】トップカバー１３が閉じられた状態にあるレーザプリンタ１の内部構成を表す側断面図である。
【図２】トップカバー１３が開放された状態にあるレーザプリンタ１の内部構成を表す側断面図である。
【図３】トップカバー１３が閉じられた状態にあるレーザプリンタ１の内部構成を表す側断面図である。
【図４】トップカバー１３が開放された状態にあるレーザプリンタ１の内部構成を表す側断面図である。
【図５】プロセスカートリッジ１１が装着された状態にあるレーザプリンタ１の内部構成を表す側断面図である。
【図６】プロセスカートリッジ１１が取り外された状態にあるレーザプリンタ１の内部構成を表す側断面図である。
【図７】プロセスカートリッジ１１とその周辺の構成を表す説明図である。
【発明を実施するための形態】
【００２０】
本発明の実施形態を図面に基づいて説明する。
＜第１の実施形態＞
１．レーザプリンタ１の構成
画像形成装置の一例としてのレーザプリンタ１の構成を図１、及び図２に基づいて説明する。図１、及び図２に示すように、レーザプリンタ１は、本体の一例としての本体フレーム３、低圧電源基板（以下、低圧基板と称する）５、制御基板７、高圧電源基板（以下、高圧基板と称する）９、プロセスカートリッジ１１、及びカバーの一例としてのトップカバー１３を備える。
【００２１】
本体フレーム３は、その内部に、低圧基板５、制御基板７、高圧基板９、及びプロセスカートリッジ１１を収容している。また、本体フレーム３に対し、トップカバー１３は、開閉可能に取り付けられている。このトップカバー１３は、その一端に設けられたヒンジを中心に回動することで、開閉される。
【００２２】
低圧基板５は、制御基板７に低電圧の電力を供給する回路基板であり、図示しない商用電源、例えば、１００Ｖ電源のコンセントから電力の供給を受け、用途別に、制御回路用の３．３Ｖ、インターフェイス用の５Ｖ、高圧基板９のトランスを駆動するための２４Ｖに分割・変圧して制御基板７などに給電する。制御基板７は、図示しないＣＰＵ、ＲＯＭ、ＲＡＭ等を備え、低圧基板２０から、低圧基板−制御基板間の給電経路１０を通して電力の供給を受けて、レーザプリンタ１の各部を制御する回路基板であり、トップカバー１３が閉じられた状態にあるとき、低圧基板５から供給された電力を用い、トップカバー１３を経由する低電圧給電経路１５を通して、高圧基板９に低電圧の電力を供給する。また、制御基板７は、高圧基板９の出力電力を制御するためのＰＷＭ信号を高圧基板９に供給すると共に、高圧基板９のトランスの二次側からの出力電力の帰還信号としてのＦＢ信号を入力してＰＷＭのデューティ比を可変制御する。
【００２３】
高圧基板９は、制御基板７を介して低圧基板５から３．３Ｖ及び２４Ｖの電源電圧を受け、制御基板７から供給されたＰＷＭ信号に基づき、供給された電圧を昇圧し、高電圧給電経路３５を通してプロセスカートリッジ１１に出力すると共に、その出力の一部をフィードバックし、ＦＢ信号として制御基板７に帰還させる回路基板である。
【００２４】
低電圧給電経路１５は、制御基板７に接続し、本体フレーム３に設けられた第１の区間１５ａと、トップカバー１３に設けられた第２の区間１５ｂと、高圧基板９に接続し、本体フレーム３に設けられた第３の区間１５ｃとから成る。第１の区間１５ａは、本体フレーム３のうち、トップカバー１３に対向する面に、端子１９を備えている。また、第２の区間１５ｂは、トップカバー１３のうち、本体フレーム３に対向する面に、端子２１、２３を備えている。また、第３の区間１５ｃは、本体フレーム３のうち、トップカバー１３に対向する面に、端子２５を備えている。
【００２５】
図１に示すように、トップカバー１３を閉じたとき、第１の区間１５ａの端子１９と、第２の区間１５ｂの端子２１が接触するとともに、第２の区間１５ｂの端子２３と、第３の区間１５ｃの端子２５とが接触することにより、低電圧給電経路１５は、制御基板７から、トップカバー１３を経由して、高圧基板９まで繋がる。このとき、制御基板７から、低電圧給電経路１５を通して、高圧基板９に低電圧の電力が供給される。
【００２６】
一方、図２に示すように、トップカバー１３が開放されているとき、第１の区間１５ａの端子１９と、第２の区間１５ｂの端子２１とが離間するとともに、第２の区間１５ｂの端子２３と、第３の区間１５ｃの端子２５とが離間することにより、低電圧給電経路１５は遮断される。
【００２７】
また、制御基板７は、トップカバー１３が閉じられた状態にあるとき、トップカバー１３を経由する信号伝達線１７を通して、高圧基板９にＰＷＭ信号を伝達したり、高圧基板９からＦＢ信号を入力する。信号伝達線１７は、制御基板７に接続し、本体フレーム３に設けられた第１の区間１７ａと、トップカバー１３に設けられた第２の区間１７ｂと、高圧基板９に接続し、本体フレーム３に設けられた第３の区間１７ｃとから成る。第１の区間１７ａは、本体フレーム３のうち、トップカバー１３に対向する面に、端子２７を備えている。また、第２の区間１７ｂは、トップカバー１３のうち、本体フレーム３に対向する面に、端子２９、３１を備えている。また、第３の区間１７ｃは、本体フレーム３のうち、トップカバー１３に対向する面に、端子３３を備えている。
【００２８】
図１に示すように、トップカバー１３を閉じたとき、第１の区間１７ａの端子２７と、第２の区間１７ｂの端子２９が接触するとともに、第２の区間１７ｂの端子３１と、第３の区間１７ｃの端子３３とが接触することにより、信号伝達線１７は、制御基板７から、トップカバー１３を経由して、高圧基板９まで繋がる。このとき、制御基板７から、信号伝達線１７を通して、高圧基板９にＰＷＭ信号が伝達されるとともに、高圧基板９から制御基板７にＦＢ信号が入力される。
【００２９】
一方、図２に示すように、トップカバー１３が開放されているとき、第１の区間１７ａの端子２７と、第２の区間１７ｂの端子２９とが離間するとともに、第２の区間１７ｂの端子３１と、第３の区間１７ｃの端子３３とが離間することにより、信号伝達線１７は遮断される。
【００３０】
高圧基板９は、制御基板７から供給された低電圧の電力から、高電圧の電力を生成し、その高電圧の電力を、高電圧給電経路３５を通して、プロセスカートリッジ１１に供給する。なお、低圧基板−制御基板間の給電経路１０及び低電圧給電経路１５が、給電経路の一例である。
【００３１】
プロセスカートリッジ１１は、ドラムカートリッジ、現像カートリッジ等の周知の構成を備えており、高圧基板９から供給された電力により動作する。プロセスカートリッジ１１は、本体フレーム３に対し着脱可能であり、プロセスカートリッジ１１の着脱は、トップカバー１３を開放した状態において行うことができる。
【００３２】
なお、レーザプリンタ１は、上述した構成の他にも、画像を形成するための周知の構成を備えているが、本発明とは直接関係がないのでその記載を省略する。
２．レーザプリンタ１が奏する効果
（１）レーザプリンタ１においては、トップカバー１３を開放したとき、第１の区間１５ａと第２の区間１５ｂとの間、及び第２の区間１５ｂと第３の区間１５ｃとの間で、低電圧給電経路１５が遮断されるので、その状態でユーザが低電圧給電経路１５の一部、高圧基板９、高電圧給電経路３５に触れても、感電しない。また、トップカバー１３の開放を検知するスイッチや、そのスイッチの状態に応じて電力の供給を停止する機構が必須ではなくなるので、コストとスペースを節減できる。
（２）レーザプリンタ１においては、トップカバー１３を開放したとき、信号伝達線１７も遮断されるので、ＦＢ信号が検出されなくなる。そのため、信号の不検出により、トップカバー１３の開放を知ることができる。
＜第２の実施形態＞
１．レーザプリンタ１の構成
画像形成装置の一例としてのレーザプリンタ１の構成を図３、及び図４に基づいて説明する。図３、及び図４に示すように、レーザプリンタ１は、本体の一例としての本体フレーム３、低圧基板５、制御基板７、高圧基板９、プロセスカートリッジ１１、及びカバーの一例としてのトップカバー１３を備える。
【００３３】
本体フレーム３は、その内部に、低圧基板５、制御基板７、及びプロセスカートリッジ１１を収容している。また、本体フレーム３に対し、トップカバー１３は、開閉可能に取り付けられている。このトップカバー１３は、その一端に設けられたヒンジを中心に回動することで、開閉される。高圧基板９は、トップカバー１３に取り付けられている。
【００３４】
低圧基板５は、低圧基板−制御基板間の給電経路１０を通して制御基板７に低電圧の電力を供給する。制御基板７は、レーザプリンタ１の各部を制御するとともに、トップカバー１３が閉じられた状態にあるとき、低圧基板５から供給された電力を用い、トップカバー１３を経由する低電圧給電経路１５を通して、高圧基板９に低電圧の電力を供給する。
【００３５】
低電圧給電経路１５は、制御基板７に接続し、本体フレーム３に設けられた第１の区間１５ａと、トップカバー１３に設けられ、高圧基板９に接続する第２の区間１５ｂとから成る。第１の区間１５ａは、本体フレーム３のうち、トップカバー１３に対向する面に、端子３７を備えている。また、第２の区間１５ｂは、トップカバー１３のうち、本体フレーム３に対向する面に、端子３９を備えている。
【００３６】
図２に示すように、トップカバー１３を閉じたとき、第１の区間１５ａの端子３７と、第２の区間１５ｂの端子３９が接触することにより、低電圧給電経路１５は、制御基板７から、トップカバー１３を経由して、高圧基板９まで繋がる。このとき、制御基板７から、低電圧給電経路１５を通して、高圧基板９に低電圧の電力が供給される。
【００３７】
一方、図４に示すように、トップカバー１３が開放されているとき、第１の区間１５ａの端子３７と、第２の区間１５ｂの端子３９とが離間することにより、低電圧給電経路１５は遮断される。
【００３８】
また、制御基板７は、トップカバー１３が閉じられた状態にあるとき、トップカバー１３を経由する信号伝達線１７を通して、高圧基板９にＰＷＭ信号を伝達したり、高圧基板９からＦＢ信号を入力する。信号伝達線１７は、制御基板７に接続し、本体フレーム３に設けられた第１の区間１７ａと、トップカバー１３に設けられた第２の区間１７ｂとから成る。第１の区間１７ａは、本体フレーム３のうち、トップカバー１３に対向する面に、端子４１を備えている。また、第２の区間１７ｂは、トップカバー１３のうち、本体フレーム３に対向する面に、端子４３を備えている。
【００３９】
図１に示すように、トップカバー１３を閉じたとき、第１の区間１７ａの端子４１と、第２の区間１７ｂの端子４３が接触することにより、信号伝達線１７は、制御基板７から、トップカバー１３を経由して、高圧基板９まで繋がる。このとき、制御基板７から、信号伝達線１７を通して、高圧基板９にＰＷＭ信号が伝達されるとともに、高圧基板９から制御基板７にＦＢ信号が入力される。
【００４０】
一方、図４に示すように、トップカバー１３が開放されているとき、第１の区間１７ａの端子４１と、第２の区間１７ｂの端子４３とが離間することにより、信号伝達線１７は遮断される。
【００４１】
高圧基板９は、制御基板７から供給された低電圧の電力から、高電圧の電力を生成し、その高電圧の電力を、高電圧給電経路３５を通して、プロセスカートリッジ１１に供給する。なお、低圧基板−制御基板間の給電経路１０及び低電圧給電経路１５が、給電経路の一例である。また、高電圧給電経路３５が、電力供給経路の一例である。
【００４２】
高電圧給電経路３５は、高圧基板９に接続し、トップカバー１３に設けられた第１の区間３５ａと、本体フレーム３に設けられ、プロセスカートリッジ１１に接続する第２の区間３５ｂとから成る。第１の区間３５ａは、トップカバー１３のうち、本体フレーム３に対向する面に、端子４５を備えている。また、第２の区間３５ｂは、本体フレーム３のうち、トップカバー１３に対向する面に、端子４７を備えている。
【００４３】
図４に示すように、トップカバー１３を閉じたとき、第１の区間３５ａの端子４５と、第２の区間３５ｂの端子４７が接触することにより、高電圧給電経路３５は、高圧基板９から、プロセスカートリッジ１１まで繋がる。このとき、高圧基板９から、高電圧給電経路３５を通して、プロセスカートリッジ１１に高電圧の電力が供給される。
【００４４】
一方、図４に示すように、トップカバー１３が開放されているとき、第１の区間３５ａの端子４５と、第２の区間３５ｂの端子４７とが離間することにより、高電圧給電経路３５は遮断される。
【００４５】
プロセスカートリッジ１１は、ドラムカートリッジ、現像カートリッジ等の周知の構成を備えており、高圧基板９から供給された電力により動作する。プロセスカートリッジ１１は、本体フレーム３に対し着脱可能であり、プロセスカートリッジ１１の着脱は、トップカバー１３を開放した状態において行うことができる。
【００４６】
なお、レーザプリンタ１は、上述した構成の他にも、画像を形成するための周知の構成を備えているが、本発明とは直接関係がないのでその記載を省略する。
２．レーザプリンタ１が奏する効果
（１）レーザプリンタ１においては、トップカバー１３を開放したとき、第１の区間１５ａと第２の区間１５ｂとの間で、低電圧給電経路１５が遮断されるとともに、第１の区間３５ａと第２の区間３５ｂとの間で、高電圧給電経路３５が遮断されるので、その状態でユーザが低電圧給電経路１５、高圧基板９、高電圧給電経路３５に触れても、感電しない。また、トップカバー１３の開放を検知するスイッチや、そのスイッチの状態に応じて電力の供給を停止する機構が必須ではなくなるので、コストとスペースを節減できる。
（２）レーザプリンタ１においては、トップカバー１３を開放したとき、信号伝達線１７も遮断されるので、ＦＢ信号が検出されなくなる。そのため、信号の不検出により、トップカバー１３の開放を知ることができる。
＜第３の実施形態＞
１．レーザプリンタ１の構成
画像形成装置の一例としてのレーザプリンタ１の構成を図５、図６、及び図７に基づいて説明する。図５、図６に示すように、レーザプリンタ１は、本体の一例としての本体フレーム３、低圧基板５、制御基板７、高圧基板９、及びプロセスカートリッジ１１を備える。
【００４７】
本体フレーム３は、その内部に、低圧基板５、制御基板７、及びプロセスカートリッジ１１を収容している。
低圧基板５は、制御基板７に低電圧の電力を供給する。また、低圧基板５は、プロセスカートリッジ１１が本体フレーム３に装着されているとき、プロセスカートリッジ１１を経由する、給電経路の一例としての低電圧給電経路４９を通して、高圧基板９に低電圧の電力を供給する。
【００４８】
制御基板７は、レーザプリンタ１の各部を制御するとともに、プロセスカートリッジ１１が本体フレーム３に装着されているとき、プロセスカートリッジ１１を経由する信号伝達線５０を通して、高圧基板９にＰＷＭ信号を伝達したり、高圧基板９からＦＢ信号を入力する。
【００４９】
プロセスカートリッジ１１は、ローラの一例としての感光ドラム５１等の周知の構成を備えている。感光ドラム５１は、中空円筒状の回転軸５３により、プロセスカートリッジ１１に対し、回転可能に取り付けられている。プロセスカートリッジ１１は、本体フレーム３に対し着脱可能であり、本体フレーム３に装着されるときは、本体フレーム３に形成された一対のガイド板５５、５７の間に装着される。
【００５０】
上述した低電圧給電経路４９は、低圧基板５から、ガイド板５５の内側面（プロセスカートリッジ１１に対向する面）に至る第１の区間４９ａと、回転軸５３の内部を通り、その長手方向における一端から他端に至る第２の区間４９ｂと、ガイド板５７の内側面（プロセスカートリッジ１１に対向する面）から高圧基板９に至る第３の区間４９ｃとから成る。
【００５１】
第１の区間４９ａは、ガイド板５５の内側面に端子５９を備えている。また、第２の区間４９ｂは、ガイド板５５側に端子６１を備えるとともに、ガイド板５７側に端子６３を備えている。また、第３の区間４９ｃは、ガイド板５７の内側面に端子６５を備えている。
【００５２】
図５、図７に示すように、プロセスカートリッジ１１を本体フレーム３に装着したとき、第１の区間４９ａの端子５９と、第２の区間４９ｂの端子６１とが接触するとともに、第２の区間４９ｂの端子６３と、第３の区間４９ｃの端子６５とが接触することにより、低電圧給電経路４９は、低圧基板５から、プロセスカートリッジ１１の回転軸５３を経由して、高圧基板９まで繋がる。このとき、低圧基板５から、低電圧給電経路４９を通して、高圧基板９に低電圧の電力が供給される。
【００５３】
一方、図６に示すように、プロセスカートリッジ１１が本体フレーム３から取り外されているとき、第１の区間４９ａの端子５９と、第２の区間４９ｂの端子６１とが離間するとともに、第２の区間４９ｂの端子６３と、第３の区間４９ｃの端子６５とが離間することにより、低電圧給電経路４９は遮断される。
【００５４】
上述した信号伝達線５０は、制御基板７から、ガイド板５５の内側面に至る第１の区間５０ａと、回転軸５３の内部を通り、その長手方向における一端から他端に至る第２の区間５０ｂと、ガイド板５７の内側面から高圧基板９に至る第３の区間５０ｃとから成る。
【００５５】
第１の区間５０ａは、ガイド板５５の内側面に端子６７を備えている。また、第２の区間５０ｂは、ガイド板５５側に端子６９を備えるとともに、ガイド板５７側に端子７１を備えている。また、第３の区間５０ｃは、ガイド板５７の内側面に端子７３を備えている。
【００５６】
図５、及び図７に示すように、プロセスカートリッジ１１を本体フレーム３に装着したとき、第１の区間５０ａの端子６７と、第２の区間５０ｂの端子６９とが接触するとともに、第２の区間５０ｂの端子７１と、第３の区間５０ｃの端子７３とが接触することにより、信号伝達線５０は、制御基板７から、プロセスカートリッジ１１の回転軸５３を経由して、高圧基板９まで繋がる。このとき、制御基板７から、信号伝達線５０を通して、高圧基板９にＰＷＭ信号が伝達されるとともに、高圧基板９から制御基板７にＦＢ信号が入力される。
【００５７】
一方、図６に示すように、プロセスカートリッジ１１が本体フレーム３から取り外されているとき、第１の区間５０ａの端子６７と、第２の区間５０ｂの端子６９とが離間するとともに、第２の区間５０ｂの端子７１と、第３の区間５０ｃの端子７３とが離間することにより、信号伝達線５０は遮断される。
【００５８】
高圧基板９は、低圧基板５から供給された低電圧の電力から、高電圧の電力を生成し、その高電圧の電力をプロセスカートリッジ１１等に供給する。
なお、レーザプリンタ１は、上述した構成の他にも、画像を形成するための周知の構成を備えているが、本発明とは直接関係がないのでその記載を省略する。
【００５９】
２．レーザプリンタ１が奏する効果
（１）レーザプリンタ１においては、プロセスカートリッジ１１を取り外したとき、低電圧給電経路４９が遮断されるので、その状態でユーザが高圧基板９に触れても、感電しない。
（２）レーザプリンタ１においては、プロセスカートリッジ１１を取り外したとき、信号伝達線５０も遮断されるので、ＦＢ信号が検出されなくなる。そのため、信号の不検出により、プロセスカートリッジ１１が取り外された状態であることを知ることができる。
（３）レーザプリンタ１においては、低電圧給電経路４９が、プロセスカートリッジ１１の回転軸５３を経由する。そのため、プロセスカートリッジ１１に、低電圧給電経路４９を構成する部材を別途設ける必要がない。
（４）プロセスカートリッジ１１の取り外しを検知するスイッチや、そのスイッチの状態に応じて電力の供給を停止する機構が必須ではなくなるので、コストとスペースを節減できる。
【００６０】
尚、本発明は前記実施形態になんら限定されるものではなく、本発明を逸脱しない範囲において種々の態様で実施しうることはいうまでもない。
例えば、前記第１、第２の実施形態において、高圧基板９は、制御基板７を介して電源電圧の供給を受けるように構成しているが、制御基板７を経由せずに、低圧基板５から直接、低電圧電力の供給を受けるようにしてもよい。
【００６１】
また、トップカバー１３の他に、装置本体の前面に設けられたフロントカバーや、背面に設けられたリアカバー、あるいは、側面に設けられたサイドカバーを開放することにより、プロセスカートリッジ１１を着脱するようにした画像形成装置であってもよい。
【符号の説明】
【００６２】
１・・・レーザプリンタ、３・・・本体フレーム、５・・・低圧電源基板（低圧基板）、
７・・・制御基板、９・・・高圧電源基板（高圧基板）、
１０・・・低圧基板−制御基板間の給電経路、
１１・・・プロセスカートリッジ、
１３・・・トップカバー、１５・・・低電圧給電経路、
１５ａ、１５ｂ、１５ｃ・・・区間、１７・・・信号伝達線、
１７ａ、１７ｂ、１７ｃ・・・区間、
１９、２１、２３、２５、２７、２９、３１、３３・・・端子、
３５・・・高電圧給電経路、３５ａ、３５ｂ・・・区間、
３７、３９、４１、４３、４５、４７・・・端子、
４９・・・低電圧給電経路、４９ａ、４９ｂ、４９ｃ・・・区間、
５０・・・信号伝達線、５０ａ、５０ｂ、５０ｃ・・・区間、
５１・・・感光ドラム、５３・・・回転軸、５５、５７・・・ガイド板、
５９、６１、６３、６５、６７、６９、７１、７３・・・端子
【図１】
2013257413.tif 000003
【図２】
2013257413.tif 000004
【図３】
2013257413.tif 000005
【図４】
2013257413.tif 000006
【図５】
2013257413.tif 000007
【図６】
2013257413.tif 000008
【図７】
2013257413.tif 000009